(57)【要約】【課題】  頭部を支持する高さを選択でき、仰向けに寝ても首の負担をかけず、横向きに寝た場合には、呼吸が楽にでき、いびき、肩こりなどを減少することを目的とする枕を提供する。【解決手段】  スポンジ板１の上に、両側の袋３に細かい固体、例えば、ポリエチレンのパイプ片５等を充填し、左右に振り分けて固定し、中央に袋状の収納部を固定し、中央の袋６にはセラミックのボールや檜のチップ等の充填物を詰め込んだ上で、袋状の収納部２に収納し枕カバー４等の布状物で全体を覆っている。中央の袋２は、両側の袋３よりも高さが低くなるように形成され、中央に近づくほどなだらかに低く形成される。充填物は取替え可能とする。両側の袋３は、円柱形に形成され、充填物の量は調整可能とする。【選択図】    図１
0003106139.tif 000002
【実用新案登録請求の範囲】
【請求項１】
高さの高いの両側の袋と、中央の袋状の収納部とを、スポンジ板等のよって固定した枕本体において、
前記枕本体の全体を覆う布状物を設けており、
前記高さの高い両側の袋は、細かい固体を多数詰め込んでおり、
前記中央の収納部より、高さの低い中央の袋は脱着自在となり、前記高さの低い中央の袋は、充填物を適宜交換できることを特徴とした枕。
【請求項２】
前記中央の袋は、頭部が載せられる部分が中央に近づくほど高さが低くなるように形成していることを特徴とする、請求項１記載の枕。
【請求項３】
前記収納部に開閉する開口を設けることを特徴とする請求項１又は請求項２記載の枕。
【考案の詳細な説明】
【技術分野】
【０００１】  この考案は、三つの独立部位を有し、中央部の収納部の充填物を入れ替える事が出来る寝心地の良い枕に関する物である。
【背景技術】
【０００２】  従来、安眠を約束することをうたい文句に種々の枕が提案され、実用に供されている。【０００３】  例えば、枕内に香りのある木屑を充填したもの、枕の高さ形状を可変にしたもの、三つの独立部位を有した物等、この種の枕の提案には枚挙のいとまがない。
【考案の開示】
【考案が解決しようとする課題】
【０００４】  上記何れの枕も、それなりの効果はもたらされるものの、香りのある木屑を充填した枕は、その効果の持続性に乏しく、また、枕の高さ形状を可変にした枕は、頭の向きが常に一定ならば、即ち、常時、例えば、仰向けに寝ているような場合には効果があるものの、後頭部が乗せられる部分が凹没しているので、寝返りをうって頭の向きが変わってしまうと、効果が出ないばかりか逆に、当たり所が悪くなって、安眠を阻害する。また、三つの独立部位を有した物で、高さの低い中央部と高さの高い両側部を設けた枕も有ったが、高さの高い部位の幅が狭く低いために、首に負担がかかり頭部が枕から脱落する。【０００５】  しかも、エアー枕のようなものは、熱がこもって安眠できない。【０００６】  更に、上記何れの枕も、肩こりやいびきの解消効果はなかった。【０００７】  従って、この発明の目的は、中央部の充填物を入れ替える事で、反復使用が可能で、頭の向きによらず、常時、頚椎と背骨がまっすぐに保ち、しかも、首に負担がかからないことから、安眠を確実に約束することができ、更に、肩こりやいびきの解消効果を併せ持つ枕を提供することにある。
【課題を解決するための手段】
【０００８】  上記課題を解決するために請求項１記載の考案は、高さの高いの両側の袋と、中央の収納部とを、スポンジ板等のよって固定した枕本体において、枕本体の全体を覆う布状物を設けており、高さの高い両側の袋は、細かい固体を多数詰め込んでおり、中央の収納部より、高さの低い中央の袋は脱着自在となり、高さの低い中央の袋は、充填物を適宜交換できることに特徴を有するものである。【０００９】  請求項２記載の考案は、前記中央の袋は、頭部が載せられる部分が中央に近づくほど高さが低くなるように形成していることを特徴を有するものである。【００１０】  請求項３記載の考案は、前記収納部に開閉する開口を設けたことを特徴を有するものである。
【考案の効果】
【００１１】  以上説明したように、本考案にの枕によれば、枕本体の中央部の充填物を入れ替え自在を設けたので、希望に応じて、充填物を入れ替えする事が出来る。【００１２】  また、中央充填部両側に、その上面よりも高い上面を有する両側の支持部を設けたので、目的に応じて頭部を支持する高さを選択することができる。【００１３】  したがって、頭部を中央の支持部に乗せて寝れば、頭部を首に負担が掛からない通常の低い位置で支持して就寝することができ、寝返りをする場合にも、頭部が載せられる部分が中央に近づくほど高さが低くなるように形成していて当たり所がよく、両側の高さの高い袋によって頭部が枕から脱落することが防止される。【００１４】  また、例えば、横臥状態でテレビ視聴や読書などをしたいときは、頭部を両側の支持部のいずれかに載せれば、頭部を高い位置で支持できるので、テレビや本が見易くなり、下になった腕や肩に負担が掛からないため、疲労が少ない。【００１５】  さらに、仰向けに寝ても横向けに寝ても、頚椎と背骨がまっすぐに保ち、気道が確保されるので、安眠の約束および肩こりやいびきの減少といった有用な効果がもたらされる。
【考案を実施するための最良の形態】
【００１６】  図面を参照して、本発明を詳細に説明すると、図１は、本考案の枕の一実施例を示す斜視図であり、図２は、本考案の枕の一実施例を示す断面図である。【００１７】  スポンジ板（１）の上に、三つの袋、すなわち、布状の収納部（２）と両側の袋（３）を並べて固定し、両側の袋（２）にポリエチレンのパイプ片（５）を詰め込み、中央の袋に少量の充填物を詰め込んだ上で、中央の布状の収納部に収容し、枕カバー（４）等の布状物で全体を覆っている。【００１８】  両側の袋の充填物には、ポリエチレンのパイプ片（５）や細かい固体、例えば、そばがらや木屑等を使用する。両側の袋にはファスナー等の出し入れ口（図示せず）を設けてあり、充填物の量を調整できる。【００１９】  中央の袋（６）は、中央に近づくほど高さが低くなるように形成され、充填物を出し入れするファスナー等の出し入れ口（図示せず）を設けてあり、充填物には、球体のセラミックのボールや檜のチップ等の細かい固体や、ウレタン製のゲルマニウムシートを使用する。【００２０】  両側の袋（３）は円柱形をしており、それぞれの幅は、人体の頭部の平均的な幅寸法の倍に設定されている。【００２１】  次に、このように構成された枕の使用方法について説明する。【００２２】  横臥した人がその頭部を高さの高い両側の袋（３）のいずれか一方に載せたときは、頭部が高い位置で支持され、肩や上腕部の負担を軽減される。したがって、長時間の横臥状態においても、肩や上腕部に負担を与えない高さで支持できるので、横臥して安眠することができる。また、横臥姿勢で就寝すると、いびきの減少させることもできる。【００２３】  一方、頭部を高さの低い中央の袋（６）に載せれば、頭部を首に負担を与えない高さで支持できるので、仰臥して安静に安眠することができる。【００２４】  また、この枕は、上述のように構成されているため、両側の袋（３）のいずれか一方に載せてテレビの視聴や読書をしたりする際の姿勢をとても楽に保持できるため、テレビや本が見やすくなり、疲労が少ない。【００２５】  中央の袋（６）は中央に近づくほど高さが低くなるように形成され、仰向けの状態で頭部を載せた時は、頚椎と背骨をまっすぐに保つ形になり、寝返りをうって頭の向きが変わっても当たり所が悪くならない。【００２６】  両側の袋（３）は高さを高く設定されていて、横向きの状態で頭部を載せた時も頚椎と背骨をまっすぐに保つ形になり、楽な姿勢で寝られる等寝心地が良い。【００２７】  袋状の収納部（２）は内部を開閉するための開口（図示せず）が設けられ、充填物を入れた中央の袋（６）を収納できる。中央の袋（６）の充填物は使用者の嗜好にあわせて適宜交換できる。この際、中央の袋（６）はファスナー（図示せず）が設けられており、充填物が外部に脱出しないように閉鎖し得るようになっている。
【図面の簡単な説明】
【００２８】
【図１】本考案枕の一実施例を示す斜視図である。
【図２】本考案枕の一実施例を示す縦断面図である。
【符号の説明】
【００２９】１  スポンジ板
２  袋状の収納部
３  両側の袋
４  枕カバー
５  ポリエチレンのパイプ片
６  中央の袋
【図１】
0003106139.tif 000003
【図２】
0003106139.tif 000004